(57)【要約】【課題】ショーケース本体の開口を透明板や透明扉で覆った場合において、非冷却商品を陳列する場所をショーケース本体の近傍に確保する。【解決手段】上面側に開口が形成されるとともに内部に商品陳列室が形成されたショーケース本体と、商品陳列室内に冷気を供給する冷気供給機構と、開口におけるショーケース本体の前後幅方向の中央部を覆う位置固定の透明板と、開口におけるショーケース本体の前後幅方向の両側を開閉可能に覆うスライド式の透明扉と、透明板の上に取付けられ、非冷却商品が陳列される非冷棚と、を備える。【選択図】図２
2015139511.tif 000002
【特許請求の範囲】
【請求項１】
上面側に開口が形成されるとともに内部に商品陳列室が形成されたショーケース本体と、
前記商品陳列室内に冷気を供給する冷気供給機構と、
前記開口における前記ショーケース本体の前後幅方向の中央部を覆う位置固定の透明板と、
前記開口における前記ショーケース本体の前後幅方向の両側を開閉可能に覆うスライド式の透明扉と、
前記透明板の上に取付けられ、非冷却商品が陳列される非冷棚と、
を備えることを特徴とする平型ショーケース。
【請求項２】
前記非冷棚は、前記透明板の上に着脱可能に取付けられていることを特徴とする請求項１記載の平型ショーケース。
【請求項３】
前記商品陳列室内にこの商品陳列室内を照明するＬＥＤが設けられていることを特徴とする請求項１又は２記載の平型ショーケース。
【発明の詳細な説明】
【技術分野】
【０００１】
本発明は、上方が開口した商品陳列室を有し、この商品陳列室の開口をスライド式の透明扉で覆った平型ショーケースに関する。
【背景技術】
【０００２】
従来、スーパーマーケットやコンビニエンスストア等の店舗では、冷凍食品や冷蔵商品等の冷却商品を陳列販売するために、上方が開口した商品陳列室を有する平型ショーケースが使用されている。このような平型ショーケースには、開口を常時開放した状態とするもの（下記特許文献１参照）や、開口を開閉可能に覆うスライド式の透明扉を有するもの（下記特許文献２参照）が知られている。透明扉を有する平型ショーケースは、商品陳列室からの冷気の漏れ出しを抑えることができ、省エネを図るうえで優れている。
【先行技術文献】
【特許文献】
【０００３】
【特許文献１】特開２００８−３０９３９９号公報
【特許文献２】特開２０１２−１５２３１３号公報
【発明の概要】
【発明が解決しようとする課題】
【０００４】
しかしながら、特許文献２に記載された平型ショーケースのように開口の全体を透明扉で覆った場合には、商品陳列室内に陳列されている冷却商品と関連がある非冷却商品を陳列する場所を平型ショーケースの近傍に確保できないという問題がある。
【０００５】
また、開口の全体を透明扉で覆った場合には、売場の天井照明からの輻射熱が商品陳列室内に入り込み易く、天井照明からの輻射熱の影響により冷気を生成するためのエネルギーが増大している。
【０００６】
さらに、開口の全体を透明扉で覆った場合には、売場の天井照明がガラス扉に映り込み、商品陳列室内に陳列されている冷却商品が見にくくなる。
【０００７】
本発明は、このような課題を解決するためになされたものであり、その目的は、ショーケース本体の開口を透明板や透明扉で覆った場合において、商品陳列室内に陳列された冷却商品と関連のある非冷却商品を陳列する場所をショーケース本体の近傍に確保することができる平型ショーケースを提供することである。
【課題を解決するための手段】
【０００８】
本発明に係る平型ショーケースは、上面側に開口が形成されるとともに内部に商品陳列室が形成されたショーケース本体と、前記商品陳列室内に冷気を供給する冷気供給機構と、前記開口における前記ショーケース本体の前後幅方向の中央部を覆う位置固定の透明板と、前記開口における前記ショーケース本体の前後幅方向の両側を開閉可能に覆うスライド式の透明扉と、前記透明板の上に取付けられ、非冷却商品が陳列される非冷棚と、を備えることを特徴とする。
【０００９】
また、前述の本発明に係る平型ショーケースにおいて、前記非冷棚は、前記透明板の上に着脱可能に取付けられていることが望ましい。
【００１０】
また、前述の本発明に係る平型ショーケースにおいて、前記商品陳列室内にこの商品陳列室内を照明するＬＥＤが設けられていることが望ましい。
【発明の効果】
【００１１】
本発明に係る平型ショーケースによれば、透明板の上に非冷棚が取付けられていることにより、ショーケース本体の開口を透明板と透明扉とで覆った場合でも、商品陳列室内に陳列されている冷却商品と関連が有る非冷却商品を陳列する場所をショーケース本体の近傍に確保することができる。また、透明板の上に非冷棚を取付けることにより、売場の天井照明からの輻射熱が商品陳列室内に入り込むことを抑制することができ、それにより冷気を発生させるためのエネルギーを抑制して省エネを図ることができる。また、透明板の上に非冷棚を取付けることにより、売場の天井照明が透明板や透明扉に映り込むことを抑制することができ、商品陳列室内に陳列されている冷却商品を透明扉を開けなくても見易くすることができ、透明扉を開閉する頻度を減らして省エネを図ることができる。
【００１２】
また、非冷棚が透明板の上に着脱可能に取付けられることにより、必要に応じて非冷棚を透明板の上から取外すことができ、非冷棚を取外すことによって平型ショーケースのメンテナンスや清掃を容易に行うことができる。
【００１３】
また、商品陳列室内にこの商品陳列室内を照明するＬＥＤが設けられていることにより、非冷棚を取付けることにより売場の天井照明による商品陳列室内の照度が低下しても、ＬＥＤからの照明によって商品陳列室内の照度を高めることができ、ＬＥＤは他の照明装置に比べて発熱量が少ないので必要な照度を得るための発熱量を抑制することができる。
【図面の簡単な説明】
【００１４】
【図１】本発明の一実施形態の平型ショーケースを示す斜視図である。
【図２】平型ショーケースの断面側面図である。
【発明を実施するための形態】
【００１５】
本発明の一実施形態の平型ショーケースについて説明する。図１は、平型ショーケース１を示す斜視図であり、この平型ショーケース１は、台座部２と、台座部２の上に固定されたショーケース本体３とを有している。
【００１６】
ショーケース本体３は、断熱材により凹形状に形成されるとともに平面視形状が矩形に形成された断熱箱体４と、断熱箱体４の４つの側壁部４ａの上縁に立設された４つの透明壁５とを有している。このショーケース本体３には、上面側（透明壁５の上端側）に開口６が形成され、側壁部４ａと透明壁５とに囲まれた内部に商品陳列室７が形成されている。この商品陳列室７内には冷却商品が陳列され、陳列された冷却商品は後述する冷気供給機構により供給される冷気により冷却される。
【００１７】
また、ショーケース本体３の内部には、ショーケース本体３の前後幅方向の中央部に位置してショーケース本体３の左右横幅方向に延出し、商品陳列室７を前後２つの区画に仕切る中央仕切壁８が設けられている。
【００１８】
ショーケース本体３の左右横幅方向に延出する前後一対の透明壁５の上縁部には、直線状の横フレーム９が固定されている。一対の横フレーム９は平行に対向しており、これらの一対の横フレーム９の間には、ショーケース本体３の前後幅方向に延出するとともに上方に向けて凸条に湾曲した複数本の前後フレーム１０が固定されている。
【００１９】
前後フレーム１０における隣合って位置する他の前後フレーム１０に対向する側面部にはスライド溝（図示せず）が形成されており、これらのスライド溝に、開口６におけるショーケース本体３の前後幅方向の両側を開閉可能に覆うスライド式の透明扉１１がスライド可能に取付けられている。また、前後フレーム１０の上面部には、ショーケース本体３の左右横幅方向に延出し、開口６におけるショーケース本体３の前後幅方向の中央部を覆う透明板１２が位置固定に固定されている。
【００２０】
透明板１２の上面には、ショーケース本体３の左右横幅方向に沿って配列された複数の鉄板製の板金１３が両面テープにより貼り付けられている。これらの板金１３には、複数の脚部１４を有する非冷棚１５が着脱可能に取付けられている。脚部１４の先端部であって板金１３に接する部分には、板金１３に吸着する磁石（図示せず）が取付けられている。非冷棚１５上には、商品陳列室７に陳列されている冷却商品と関連があり、その冷却商品の近くに陳列しておくことが望ましい非冷却商品が陳列されている。例えば、冷却商品として「サラダ」が陳列されている場合にはそのサラダ用の「ドレッシング」、冷却商品として「弁当」が陳列されている場合には「カップみそ汁」、冷却商品として「冷凍食品」が陳列されている場合には調理前又は調理後の冷凍食品を収容する「収容ケース」、冷却商品として「アイス」が陳列されている場合にはアイス用の「スプーン」等が非冷却商品として陳列されている。
【００２１】
図２は、平型ショーケース１を示す断面側面図である。この平型ショーケース１は図１において説明したように、台座部２とショーケース本体３とにより構成され、ショーケース本体３の上面側に開口６が形成され、内部に商品陳列室７が形成されている。商品陳列室７は、中央仕切壁８により前後２つの区画に仕切られている。
【００２２】
さらに、図１において説明したように、開口６におけるショーケース本体３の前後幅方向の中央部を覆う位置固定の透明板１２と、開口６におけるショーケース本体３の前後幅方向の両側を開閉可能に覆うスライド式の透明扉１１と、透明板１２の上面に両面テープで貼り付けられた複数の板金１３と、磁石を利用して板金１３に着脱可能に取付けられた非冷棚１５とが設けられている。透明板１２は、前後フレーム１０の上面部に固定され、透明扉１１は、前後フレーム１０に形成されたスライド溝にスライド可能に取付けられている。各透明扉１１には、スライド操作用の取っ手１１ａが設けられている。
【００２３】
ショーケース本体３の内部には、上述した中央仕切壁８と、側壁部４ａ及び透明壁５に近接した位置に配置されて中央仕切壁８と平行に対向する一対の仕切板１６と、仕切板１６と中央仕切壁８との間に位置するデッキパン１７とが設けられている。
【００２４】
デッキパン１７と断熱箱体４の底壁部４ｂとの間には底部冷気通路１８が形成され、仕切板１６と側壁部４ａ及び透明壁５との間には側部冷気通路１９が形成され、中央仕切壁８の内部には中央部冷気通路２０が形成されている。底部冷気通路１８内には、冷却器２１と送風ファン２２とが設けられている。冷却器２１には冷媒が流れる配管を介して圧縮機や凝縮器や膨張装置（いずれも図示せず）が接続され、これらの圧縮機、凝縮器、膨張装置、冷却器２１、送風ファン２２等により、商品陳列室７内に冷気を供給する冷気供給機構が構成されている。
【００２５】
これらの冷気通路１８〜２０は、底部冷気通路１８の両端に側部冷気通路１９の下端が接続され、底部冷気通路１８の中央部分に中央部冷気通路２０の下端が接続されている。中央部冷気通路２０の上端には、冷気供給機構が駆動された場合に冷気を商品陳列室７内に吹出す冷気吹出口２３が形成され、側部冷気通路１９の上端には、冷気供給機構が駆動された場合に商品陳列室７内の冷気を吸込む冷気吸込口２４が形成されている。
【００２６】
また、中央仕切壁８の上方には、前後フレーム１０から吊り下げられて中央部冷気通路２０の上方を覆う上部カバー２５が設けられている。この上部カバー２５の下側には、商品陳列室７内を照明するＬＥＤ２６が取付けられている。
【００２７】
このような構成において、冷気供給機構を駆動させることにより、図２において矢印で示すような冷気の流れが発生し、冷却器２１により冷却された後に冷気吹出口２３から吹出した冷気が商品陳列室７内に陳列された冷却商品を冷却し、商品陳列室７内の冷気は冷気吸込口２４から吸込まれ、再び冷却器２１により冷却される。
【００２８】
ショーケース本体３の開口６の全体は、透明扉１１と透明板１２とにより覆われているため、商品陳列室７内からの冷気の漏れ出しを抑制することができ、省エネを図ることができる。
【００２９】
この平型ショーケース１では、透明板１２の上に非冷棚１５が取付けられているため、この非冷棚１５の上に、商品陳列室７内に陳列されている冷却商品と関連のある非冷却商品を陳列することができる。すなわち、ショーケース本体３の開口６の全体を透明板１２と透明扉１１とで覆った場合でも、商品陳列室７内に陳列されている冷却商品と関連のある非冷却商品を陳列する場所をショーケース本体３の近傍に確保することができる。これにより、商品陳列室７内に陳列されている冷却商品を購入する顧客の利便性を高めることができ、商品陳列室７内に陳列されている冷却商品と関連のある非冷却商品の販売を促進することができる。
【００３０】
また、透明板１２の上に非冷棚１５を取付けることにより、売場の天井照明からの輻射熱が商品陳列室７内に入り込むことを非冷棚１５によって抑制することができ、それにより冷気を発生させるためのエネルギーを抑制して省エネを図ることができる。
【００３１】
また、透明板１２の上に非冷棚１５を取付けることにより、売場の天井照明が透明板１２や透明扉１１に映り込むことを非冷棚１５によって抑制することができ、商品陳列室７内に陳列されている冷却商品を透明扉１１を開けなくても見易くすることができる。これにより、透明扉１１の開閉頻度を少なくすることができ、透明扉１１の開閉に伴う商品陳列室７からの冷気の漏れ出しを抑制して省エネを図ることができる。
【００３２】
また、非冷棚１５の取付けは、透明板１２の上面に鉄板製の板金１３を貼り付け、この板金１３に磁石を用いて行っているため、非冷棚１５の着脱を容易に行うことができる。このため、必要に応じて非冷棚１５を透明板１２の上から取外すことができ、非冷棚１５を取外すことにより平型ショーケース１のメンテナンスや清掃を容易に行うことができる。
【００３３】
また、中央仕切壁８の上方には、前後フレーム１０から吊り下げられた上部カバー２５が設けられており、この上部カバー２５の下側に商品陳列室７内を照明するＬＥＤ２６が取付けられている。このため、非冷棚１５を取付けることにより売場の天井照明による商品陳列室７内の照度が低下しても、ＬＥＤ２６からの照明によって商品陳列室７内の照度を高めることができる。しかも、ＬＥＤ２６は他の照明装置に比べて発熱量が少ないので、必要な照度を得るための発熱量を抑制することができる。
【００３４】
上部カバー２５の下側に取付けられたＬＥＤ２６への電気配線は、中央仕切壁８内の中央部冷気通路２０内に配線することが可能であるため、ＬＥＤ２６の取付け、及び、このＬＥＤ２６への電気配線の敷設を、ＬＥＤ２６を有しない平型ショーケース１を店舗に納品した後、必要に応じて後から行うことができる。
【００３５】
本発明は、前述の実施形態に限るものではなく、その要旨を逸脱しない範囲において種々変更可能である。例えば、前述の実施形態に示される全構成要素から幾つかの構成要素を削除してもよく、さらに、異なる実施形態に係る構成要素を適宜組み合わせてもよい。
【符号の説明】
【００３６】
１    平型ショーケース
２    台座部
３    ショーケース本体
４    断熱箱体
４ａ  側壁部
５    透明壁
６    開口
７    商品陳列室
８    中央仕切壁
９    横フレーム
１０    前後フレーム
１１    透明扉
１１ａ  取手
１２    透明板
１３    板金
１４    脚部
１５    非冷棚
１６    仕切板
１７    デッキパン
１８    底部冷気通路
１９    側部冷気通路
２０    中央部冷気通路
２１    冷却器
２２    送風ファン
２３    冷気吹出口
２４    冷気吸込口
２５    上部カバー
２６    ＬＥＤ
【図１】
2015139511.tif 000003
【図２】
2015139511.tif 000004